(57)【要約】【課題】  飲食店などで他の客の上着に入ったままのクレジットカードから情報を盗み出したり、空巣に入ったり、ゴルフ場等で財布（貴重品）を預けている間にカードは盗まず情報だけを取り出し、複製したカードを悪用するスキミング対策用のカード収納袋を提供する。【解決手段】  蓋面部が連接して設けられた裏面材に、上記蓋面部を舌片状に突出させて表面材を重ね合わせて左右両側縁及び下端縁を止着して上記蓋面部側に開口部を設け、上記蓋面部を表面材上に重ね合わせるように折り返すことにより上記開口部を閉止してカードを収納できる袋体からなるカード収納袋であって、上記袋体に署名ができる署名部を設けるとともに、上記蓋面部の表面に剥離シートで粘着面が覆われた封印シール層を設けるようにする。【選択図】          図１
2006204557.tif 000002
【特許請求の範囲】
【請求項１】
蓋面部が連接して設けられた裏面材に、上記蓋面部を舌片状に突出させて表面材を重ね合わせて左右両側縁及び下端縁を止着して上記蓋面部側に開口部を設け、上記蓋面部を表面材上に重ね合わせるように折り返すことにより上記開口部を閉止してカードを収納できる袋体からなるカード収納袋であって、
上記袋体には、署名ができる署名部が設けられ、
上記蓋面部の表面には、剥離シートで粘着面が覆われた封印シール層が設けられていることを特徴とするカード収納袋。
【請求項２】
上記蓋面部の表面に、互いに独立した剥離シートで粘着面が覆われた複数の封印シール層が設けられていることを特徴とする請求項１に記載のカード収納袋。
【請求項３】
上記袋体が磁性体を含むことを特徴とする請求項１又は２に記載のカード収納袋。
【発明の詳細な説明】
【技術分野】
【０００１】
本発明は、キャッシュカード、クレジットカード等のカードを封印して収納しておくためのカード収納袋に関する。
【背景技術】
【０００２】
近年、他人のクレジットカードやキャッシュカードの磁気記録情報を不正に読み出して複製カードを作成し、使用するスキミングという手法を用いた犯罪行為が横行している。スキミングは、スキマーと呼ばれる装置を用いてカードからカード情報を読み取る行為をいい、この読み取ったカード情報を新たなカードに記憶させて複製物が作られる。
【０００３】
このように、スキミングは、カードを複製するためのカード情報を真のカード所有者に気づかれることなく盗み取り、その後真のカードはその所有者の手元になんの疑いも与えずに戻される。よって、カードの盗難と違い、被害者にとってはカード自体が無事であるため、被害に気づきにくかったり、気づくのが遅れるという特徴がある。
【０００４】
スキミングの手口としては、クレジットカード取扱店においてクレジットカードを使用するときに、カード情報を確認するＣＡＴ端末（加盟店信用照会端末）に細工をしてスキマーを仕掛けておき、カード情報を不正に読み取ると言った手法のほか、最近では、飲食店などで他の客の上着に入ったままのクレジットカードから情報を盗み出したり、空巣に入ってカードは盗まず情報だけを取り出したり、ゴルフ場等で財布（貴重品）を預けている間に財布の中のキャッシュカードの情報のみを読み取るという例が増えている。
【０００５】
このような現状に鑑み、本発明者は、前者の場合には、店を選んでカードを使用したりする以外対策は困難と考えられるが、後者の場合には、カードが許可なく他人により触れられたか否か判断がつけば、早期に被害を食い止めることができると考えた。当初、カードを袋に封印して収納しておけばよいのではないかと考えた。そこで、例えば特許文献１等に記載の封印シールを用い、この封印シールをカードを収納した袋の開口部上から貼着して閉止するようにすれば、当該収納袋を開くときに封印シールを剥がした痕跡がのこるために、収納袋が他人により開かれたか否かを知ることができる。
【０００６】
【特許文献１】特開平１１−４３１６７号公報
【発明の開示】
【発明が解決しようとする課題】
【０００７】
しかしながら、上述のようにカードを袋に収納して封印シールで封止した場合には、収納袋を開封してカードを取り出した後にこれと同じ新たな収納袋に入れ替えられ、元通りに戻された場合に、カードが他人により取り出されたかを判明することができない。
【０００８】
また、カードが収納袋に収納された状態でカード情報が読み取られる危険性もある。つまり、樹脂製の袋であれば、内部に収納されたカードの情報を非接触で読み取とられることができ、この場合収納袋を開封する必要がないため、封印シールを剥がし取らずに済み、カード情報が読み取られた痕跡がのこらない。
【０００９】
さらに、カードの所有者がカードを使用する際に収納袋からカードを取り出す度に、新しい収納袋に取り変える必要があったり、新しい封印シールが必要になったりと、効率的でなく、使用者のコスト増を招いたり、廃棄物が発生して環境的にもよいものとはいえない。
【００１０】
本発明は、上記のような現状に鑑みなされたもので、他人がカードを取り出したことを確実に判明できる簡易なカード収納袋を提供することを目的とする。
【００１１】
また、本発明は、カードが収納袋に収納された状態で、当該カードの情報を収納袋の外部から読み出すことを防止したカード収納袋を提供することをも目的とする。
【課題を解決するための手段】
【００１２】
上記目的を達成すべく、本発明者は鋭意研究を重ねた結果、カード収納袋に所有者がサインをするための署名部を設けることにより、他のカード収納袋と区別できて新たなカード収納袋に入れ替えられた場合であってもそのことを知ることができるようにでき、またカード収納袋を閉止するときに貼り付けられる封印シールを複数設けることにより、収納袋を開閉する度に１ずつ封印シールを使用すれば複数回の使用に適用でき、さらに収納袋を磁気などの読み取ができない素材で形成することにより、カードが収納された状態でカード情報を読み取られることを防止できることを見出した。すなわち、本発明は、以下のカード収納袋に係るものである。
【００１３】
（１）蓋面部が連接して設けられた裏面材に、上記蓋面部を舌片状に突出させて表面材を重ね合わせて左右両側縁及び下端縁を止着して上記蓋面部側に開口部を設け、上記蓋面部を表面材上に重ね合わせるように折り返すことにより上記開口部を閉止してカードを収納できる袋体からなるカード収納袋であって、上記袋体には、署名ができる署名部が設けられ、上記蓋面部の表面には、剥離シートで粘着面が覆われた封印シール層が設けられていることを特徴とするカード収納袋。
【００１４】
上記（１）のカード収納袋によれば、袋体に署名部を設けているので、カードを収納する際、当該署名部にカード所有者がサインをしておけば、当該カード収納袋を他の同じ収納袋と区別できる。
【００１５】
また、蓋面部の表面に封印シール層を設けているので、蓋面部の表面を表面材の表面に重ねて閉止するときに封印シール層上の剥離シートを剥がしておくことにより封印シール層が表面材の表面に貼着され、その後カードを取り出すときに蓋面部を表面材から捲り取って開封すると、封印シール層の一部が蓋面部の表面から表面材の表面へと転写されるので、開封されたことを明白に知ることができる。このとき、開封された痕跡が、再度閉止されたときに、蓋面部の裏面側にも現れるようにできるので、閉止された状態で、開封されたか否かを判断できる。
【００１６】
上記（１）のカード収納袋において、署名部と封印シール層との設ける位置を、署名部上に封印シール層が重なって貼着されるようにする、つまり、収納袋を閉止しようと蓋面部の表面を表面材の表面に重ねたときに封印シール層と署名部が対向する位置に設けるようにするとともに、署名部の表面をマット処理などすることによりサインをするときにインクが付着しやすい加工をしたり、署名部を紙製などのシールを表面材の表面に貼着して設けるようにするときには、封印シール層を適切に貼着できるので、封印シール層の粘着層と表面材との相容性の低い素材であってもよく、袋体に様々な素材を適用することができる。
【００１７】
（２）上記蓋面部の表面に、互いに独立した剥離シートで粘着面が覆われた複数の封印シール層が設けられていることを特徴とする上記（１）に記載のカード収納袋。
【００１８】
上記（２）のカード収納袋によれば、カードを収納するたびに複数の封印シール層上の剥離シートを１ずつ剥離して蓋面部の表面を表面材の表面に重ねて閉止するようにすることにより、カード収納袋を複数回開閉使用できる。
【００１９】
（３）上記袋体が磁性体を含むことを特徴とする上記（１）又は（２）に記載のカード収納袋。
【００２０】
上記（３）のカード収納袋によれば、袋体に磁性体を含有させているので、カードが収納袋に収納された状態で、外部からカード情報を読み取ることを防止できる。袋体に磁性体を含める方法としては、例えば、ポリエチレンテレフタレートなどの樹脂シート上にアルミニウムなどの金属の箔を蒸着したものを袋体の素材として用いたり、モノマーに金属粒子を混入した材料で樹脂シートを形成することにより、金属粒子が散在された樹脂シートとすることができ、このシートを袋体の素材として用いるなどの方法がある。
【発明の効果】
【００２１】
本発明によれば、他人がカードを取り出したことを確実に判明できる簡易なカード収納袋を提供することができる。また、カードが収納袋に収納された状態で、当該カードの情報を収納袋の外部から読み取られることを防止したカード収納袋を提供することができる。
【発明を実施するための最良の形態】
【００２２】
以下、本発明の特徴とするところをより明確にするために、図面を参照しつつ、実施形態について説明する。
【００２３】
図１に本実施形態１のカード収納袋１の開封状態の平面図を、また図２にそのＡ−Ａ断面図を示す。なお、これら図中の符号Ｃはカードを示す。カード収納袋１は、一端（上端）に蓋面部２ａが連接した略矩形シート（フィルム）状の裏面材２と、これとほぼ同じ幅で長さが短い略矩形シート状の表面材３とを備えている。表面材３は、その裏面を、裏面材２の蓋面部２ａを舌片状に突出させるようにして、裏面材２の他端（下端）側の表面上に重ね合わせられ、左右両側縁及び下端縁を止着されて、上記蓋面部側の端縁が開口部ａとされた袋体とされている。なお、袋体（裏面材２及び表面材３）には、透明のポリエチレンテレフタレート（ＰＥＴ）フィルムにアルミニウム蒸着を施したものが用いられている。
【００２４】
蓋面部２ａには、その表面側の左端部に縦長矩形状に封印シール層５が形成され、また、表面側の上端部には、幅方向に延びる閉止粘着層６が直線状に設けられている。なお、閉止粘着層６は表面材２の表面に対して貼着−剥離を繰り返し行える機能を有するものであればよく、例えばアクリル系、ホットメルト系などの再剥離用の粘着剤を塗布することにより形成することができる。
【００２５】
表面材３には、その表面側の左端部に縦長矩形状の署名部４が封印シール層５に対応するように設けられている。つまり、裏面材２の長さ方向の略中央部に設けられた折り目７に沿って蓋面部２ａを表面材３上に折り返し、蓋面部２ａの表面を表面材３の表面に重ね合わせてカード収納袋１を閉止したときに、蓋面部２ａの表面側の封印シール層５が当接する表面材３の表面の位置に署名部４が設けられている。なお、署名部４の表面は、マット処理され、サイン時のインクの付着を促すようにされている。
【００２６】
次に、封印シール層５について説明する。図３にその断面図を示すように、封印シール層５は、蓋面部２ａの表面に透明の粘着剤層５３が形成されて粘着面が設けられ、この粘着面上に剥離シート５４が４分割されて貼着されており、各剥離シート５４ａ、５４ｂ，５４ｃ，５４ｄがそれぞれ独立して粘着面から剥離できるように構成されている。また、封印シール部５の蓋面部２ａは、ＰＥＴフィルム２ａａ上に剥離層５１がパターン形成され、その上にアルミニウム蒸着層５２が形成されて構成されている。粘着剤層５３は、アルミニウム蒸着層５２よりも署名部４の表面に対する粘着力（相容性）が高くされ、粘着剤層５３とアルミニウム蒸着層５２との粘着力は、アルミニウム蒸着層５２とＰＥＴフィルム２ａａとの密着力よりも低くされている。また、アルミニウム蒸着層５２は、袋体とされるＰＥＴフィルム上に蒸着されたアルミニウム蒸着層と共用され、剥離層５１とＰＥＴフィルム２ａａとの粘着力は、粘着剤層５３とアルミニウム蒸着層５２との粘着力よりも低くされている。
【００２７】
このようにしてなるカード収納袋１は、次のようにして用いることができる。図４にカード収納袋１にカードＣを収納し閉止した状態を示す断面図を示すように、先ず、カードＣを収納袋１の開口部ａからカード収納部に差し込み（図１参照）、これと前後して署名部４にサインをするとともに封印シール層５の粘着面上の１つの剥離シート５４ａを剥離する。その後、裏面材２の折り目７に沿って蓋面部２ａを表面材３上に重ね合わせるように折り返し、閉止粘着層６により表面材３の表面側の下端部に貼着してカードＣをカード収納袋１に収納することができる。このとき、図５（１）に示すように、蓋面部２ａの剥離シート５４ａ下の封印シール層５の粘着材層５３が署名部４表面に貼着され封印される。
【００２８】
次に、上記のようにしてカード収納袋１に収納したカードＣをカード収納袋１から取り出すべく、蓋面部２ａを表面材３から剥離すると、図５（２）に示すように、剥離シート５４ａ下の封印シール層５の一部が表面材３の署名部４上に転写される。具体的には、剥離層５１上のアルミニウム蒸着膜２ａｂが表面材３の表面側に転写されることになる。
【００２９】
このようにして一度蓋面部２ａにより開口部ａを覆うようにして閉止されたカード収納袋１を開封すると、図６（１）に示すように、署名部４（のサインＳ）の表面の一部Ｔ１上にアルミニウム蒸着層５２の一部が付着し開封された痕跡が残る。一方、蓋面部２ａの剥離シート５４ａがあった部位Ｔ２の封印シール層５は、これを構成する層の一部が剥ぎ取られて模様が浮き出る。この模様は、蓋面部２ａの裏面側から視認でき、再度カード収納袋１を閉止したときに外部から一度開封されたことが確認できるようになっている。また、図６（２）に示すように、剥離シート５４ｂを剥離し、蓋面部２ａを表面材３上に貼着して再度カード収納袋１を閉止した後に蓋面部２ａを剥がしたときには、１回目の開封時に署名部４上にアルミニウム蒸着層５２が付着した部位Ｔ１に隣接する部位Ｔ３にアルミニウム蒸着層５２の一部が付着され２回目の開封の痕跡が現れる。また、蓋面部２ａ側には、１回目の開封時に剥ぎ取られて浮き出た模様の部位Ｔ２に隣接する部位Ｔ４に模様が浮き出して２回目の開封が行われた痕跡が現れる。なお、上記署名部４（Ｔ１）に封印シール層５の貼着−剥離により転写される模様、或いは封印シール層５の一部が剥ぎ取られることにより上記部位Ｔ２に浮き出るの模様としては、特別必要としないが、使用回数や使用済みなどが明確に視認できる文字や模様とするのが好ましく、例えば、各剥離シート５４ａ，５４ｂ，５４ｃ，５４ｄのそれぞれに、使用回数を表す「１」、「２」、「３」及び「４」という数字としたり、開封済みや使用済みを表す「開封」、「済」などの文字とされる。
【００３０】
次に、本発明のカード収納袋の他の実施形態２について説明する。上記実施形態１では、蓋面部２ａに封印シール層５とは別に閉止粘着層６を設けてカード収納袋１を閉止してカードＣを収納するようにしたが、本実施形態２では、封印シール層が閉止粘着層を兼ねるようにしている。なお、実施形態１のカード収納袋１と同様の構成の部分については同一の符号を用いるとともに、同一の構成については説明を省略することとする。
【００３１】
図７（１）に実施形態２のカード収納袋１０の平面図を、また、図７（２）にその一部Ｂ−Ｂ断面図を示す。カード収納袋１０の蓋面部２ａの表面の上端部には、幅方向に沿い、右端から左端にわたる帯状の封印シール層５０が設けられている。封印シール層５０は、蓋面部２ａを構成するＰＥＴフィルム２ａａ上に設けられた剥離層５１及びアルミニウム蒸着層５２と、その上に設けられた透明の粘着層５３と、これを保護する剥離シート５５とを備え、剥離シート５５は、３分割され、蓋面部２ａの幅方向沿って一杯に平行して延びる３つの剥離シート５５ａ，５５ｂ，５５ｃとされ、これらが個々に独立して剥離できるようにされている。
【００３２】
また、表面材３の表面側の下端部中央には、表面がマット処理された署名部４０が表面材３の下端縁に沿うように略矩形状に設けられており、閉止時に蓋面部２ａを表面材３上に重ね合わせたときに、封印シール層５０と対向して重なるようにされている。さらに署名部４０の左端部であって、３つの剥離シート５５ａ，５５ｂ，５５ｃと対応する位置に、例えば「１」、「２」及び「３」といった文字や模様が施されている。これは使用回数を明確に視認できるようにするためである。
【００３３】
このようにしてなるカード収納袋１０を用いてカードＣを収納した後に開封したときには、図８に示すように、表面材３の下端部に封印シール層５０のアルミニウム蒸着層５２の破断層が帯状に付着し、署名部４０の文字「１」が隠蔽されるとともに、サインの一部が隠蔽されることになる。このように、カード収納袋１０では、封印シール層５０により蓋面部２ａと表面材３に貼着して閉止するようにしているので、閉止するたびに剥離シート５５ａ，５５ｂ，５５ｃを剥離して新しい（未使用の）粘着層５３を露出する必要があるとともに、サインが徐々に隠蔽されるために、サインを写し取られて別のカード収納袋１０にカードＣを移し替えられて、第三者が開封したことを判明できなくするといった行為を防止できる。
【００３４】
なお、本発明は、上記実施形態に限定されるものではない。例えば、実施形態１及び２では、封印シール層５，５０の剥離シート５４，５５を複数に分割して用いているが、複数の封印シール層を離間して蓋面部２ａの表面側に配置してもよいし、剥離シート５４，５５を複数に分割しなくてもよい。また、署名部４，４０の表面をマット処理してサインのインクが付着しやすいようにしているが、これに代えて、紙製の名前シールなどを貼着することにより署名部を形成してもよいし、署名部４，４０の形成位置もサインが可能な位置であれば袋体上のいかなる位置であってもかまわない。さらに、封印シール層５，５０は、公知の封印シールの構成を広く適用することができる。
【産業上の利用可能性】
【００３５】
本発明は、クレジットカード、キャッシュカードなどのＩＤ情報などの情報が記憶されているカードを第三者が無断で触れたり、当該情報を読み取ったりしたときに、カード所有者が直ちにそのことを感知することができるためにカードを封印しておくカードケースとして利用できる。
【図面の簡単な説明】
【００３６】
【図１】実施形態１のカード収納袋１の平面図である。
【図２】図１のＡ−Ａ断面図である。
【図３】実施形態１のカード収納袋１の封印シール層５の部分の断面図である。
【図４】実施形態１のカード収納袋１にカードを収納した状態の説明図である。
【図５】実施形態１のカード収納袋１にカードを収納したときの、（１）封印シール層５と署名部４とが貼着された状態の説明図、及び（２）署名部４に封印シール総の一部が転写された状態の説明図である。
【図６】実施形態１のカード収納袋１を（１）１回目閉止した後開封したときのカード収納袋１の状態の説明図、及び（２）２回目閉止した後開封したときのカード収納袋１の状態の説明図である。
【図７】実施形態２のカード収納袋１０の（１）平面図、及び（２）そのＢ−Ｂ断面図である。
【図８】実施形態２のカード収納袋１０を１回目閉止した後開封したときのカード収納袋１０の状態の説明図である。
【符号の説明】
【００３７】
１,１０  カード収納袋
２  裏面材
２ａ  蓋面部
３  表面材
４，４０  署名部
５，５０  封印シール層
６  閉止粘着層
７  折り目
５４，５５  剥離シート
Ｃ  カード
【図１】
2006204557.tif 000003
【図２】
2006204557.tif 000004
【図３】
2006204557.tif 000005
【図４】
2006204557.tif 000006
【図５】
2006204557.tif 000007
【図６】
2006204557.tif 000008
【図７】
2006204557.tif 000009
【図８】
2006204557.tif 000010